(57)【特許請求の範囲】
【請求項１】
回路は、電源に接続した一回路２本の電気コードの１本目の線に、多箇所に設置した瞬間通電式壁スイッチを並列に接続してから、その線と２本目の線との間に、一回の瞬間通電式壁スイッチの操作で、通電する接点が連続して切り替わる事を防止する為の継電器を取り付けして、１本目の線を整流器に接続し、２本目の線を、電磁石の鉄芯に巻くコイルの巻き方を統一させた電磁石ＡとＢに接続して、次に、整流器からのプラスの電流の線を継電器により作動する接点に接続後、接点ＡとＢに接続し、さらに、接点Ａから電磁石Ａに接続し、接点Ｂから電磁石Ｂに接続し、また、整流器からのマイナスの電流の線を継電器により作動する接点に接続後、接点ＣとＤに接続し、さらに、接点Ｃから電磁石Ｂに接続し、接点Ｄから電磁石Ａに接続してそれぞれの回路を作成し、他方、電源に接続した他の一回路２本の電気コードの１本目の線を、接点Ｅに接続してから電灯に接続し、２本目の線を電灯に接続して回路を作成し、また、回路のシーソー式電磁石開閉器部分のそれぞれの位置関係は、支点を中心にして台座の片側に接点Ａ、Ｃ、Ｅと電磁石Ａを取り付け、台座の反対側に接点Ｂ、Ｄと電磁石Ｂを取り付けし、取り付けした各接点と電磁石ＡとＢに覆いかぶさる形状のプレートを、中央の支点を軸にしてシーソー式に可動できる状態で台座に取り付け、そのプレートの電磁石ＡとＢの相対的位置に、それぞれの磁極の向きを同一にした永久磁石を取り付け、さらに、プレートの各接点の相対的位置に、プレートとの間にバネを挟み込み天秤状にした通電板を、それぞれの接点の一対の接触面に接触する事ができる様にして取り付けし、最後に、そのプレートの支点を軸に左右の重さのバランスを調整してスムーズにシーソー式可動ができる様にしたことを特徴とする多箇所壁スイッチシステム。
【発明の詳細な説明】
【技術分野】
【０００１】  本発明は、電灯の開閉器の開閉を、磁極を相違にした二個の電磁石を使い、陽極と陰極をそれぞれ交互に発生させて生じた磁力により行い、それらの電磁石の操作を、多箇所に設置する事が可能な壁スイッチの中で適宜な一箇所から行う事により、電灯を点灯や消灯させる事ができる、多箇所壁スイッチシステムに関するものである。
【背景技術】
【０００２】  従来、一般的に電灯の壁スイッチは最大二箇所までしか設置する事ができなかった。
【発明の開示】
【発明が解決しようとする課題】
【０００３】  そのために、次のような問題点あった。
事務所や工場などの広い場所や、出入口が多い部屋、また、住宅の廊下で距離が長い場所などに電灯の壁スイッチを設置する場合は、二箇所までしか設置する事ができないため、設置したい場所全てに設置する事ができなかった。
本発明は、これらの問題点を解決するためになされたものである。
【課題を解決するための手段】
【０００４】  回路は、電源に接続した一回路２本の電気コードの１本目の線に、多箇所に設置した瞬間通電式壁スイッチを並列に接続してから、その線と２本目の線との間に、一回の瞬間通電式壁スイッチの操作で、通電する接点が連続して切り替わる事を防止する為の継電器を取り付けして、１本目の線を整流器に接続し、２本目の線を、電磁石の鉄芯に巻くコイルの巻き方を統一させた電磁石ＡとＢに接続する。次に、整流器からのプラスの電流の線を継電器により作動する接点に接続後、接点ＡとＢに接続する。さらに、接点Ａから電磁石Ａに接続し、接点Ｂから電磁石Ｂに接続してそれぞれの回路を作成する。また、整流器からのマイナスの電流の線を継電器により作動する接点に接続後、接点ＣとＤに接続する。さらに、接点Ｃから電磁石Ｂに接続し、接点Ｄから電磁石Ａに接続してそれぞれの回路を作成する。
他方、電源に接続した他の一回路２本の電気コードの１本目の線を、接点Ｅに接続してから電灯に接続し、２本目の線を電灯に接続して回路を作成する。
回路のシーソー式電磁石開閉器部分のそれぞれの位置関係は、支点を中心にして台座の片側に接点Ａ、Ｃ、Ｅと電磁石Ａを取り付け、台座の反対側に接点Ｂ、Ｄと電磁石Ｂを取り付けする。取り付けした各接点と電磁石ＡとＢに覆いかぶさる形状のプレートを、中央の支点を軸にしてシーソー式に可動できる状態で台座に取り付けする。そのプレートの電磁石ＡとＢの相対的位置に、それぞれの磁極の向きを同一にした永久磁石を取り付けする。さらに、プレートの各接点の相対的位置に、プレートとの間にバネを挟み込み天秤状にした通電板を、それぞれの接点の一対の接触面に接触する事ができる様にして取り付けする。最後に、そのプレートの支点を軸に左右の重さのバランスを調整してスムーズにシーソー式可動ができる様にする。以上を特徴とする多箇所壁スイッチシステムである。
【発明の効果】
【０００５】  電灯の壁スイッチを多箇所に設置する事ができるため、事務所などの広い場所や、出入口の多い部屋、住宅の廊下で距離が長い場所などで、必要と思われる場所全てに設置する事が可能になり、設置した全ての壁スイッチから電灯の点灯や消灯をする事ができる。
【発明を実施するための最良の形態】
【０００６】  以下、本発明の実施の形態について説明する。
（イ）回路は、電源に接続した一回路２本の電気コードの１本目の線に、必要な場所全ての多箇所に設置した、一瞬のみ通電する瞬間通電式壁スイッチ（１）を並列に接続してから、その線と２本目の線との間に、一回の瞬間通電式壁スイッチ（１）の操作で通電する接点Ａ（８）、Ｃ（１０）、Ｅ（１２）又は、接点Ｂ（９）、Ｄ（１１）が連続して切り替わる事を防止するための継電器（３）を取り付けして、１本目の線を整流器（２）に接続し、２本目の線を、電磁石の鉄芯に巻くコイルの巻く方向と巻き数を統一させた電磁石Ａ（６）とＢ（７）に接続する。
（ロ）整流器（２）からのプラスの電流の線を、継電器（３）により作動する接点（４）に接続後、接点Ａ（８）とＢ（９）に接続する。さらに、接点Ａ（８）から電磁石Ａ（６）に接続し、接点Ｂ（９）から電磁石Ｂ（７）に接続してそれぞれの回路を作成する。
（ハ）整流器（２）からのマイナスの電流の線を、継電器（３）により作動する接点（４）に接続後、接点Ｃ（１０）とＤ（１１）に接続する。さらに、接点Ｃ（１０）から電磁石Ｂ（７）に接続し、接点Ｄ（１１）から電磁石Ａ（６）に接続してそれぞれの回路を作成する。
（ニ）電源に接続した他の一回路２本の電気コードの１本目の線を、接点Ｅ（１２）に接続してから電灯（１３）に接続し、２本目の線を電灯（１３）に接続して回路を作成する。
（ホ）回路のシーソー式電磁石開閉器部分（５）のそれぞれの位置関係は、支点（１５）を中心にして台座（１４）の片側に、一対になった接点Ａ（８）、Ｃ（１０）、Ｅ（１２）と電磁石Ａ（６）を取り付け、台座（１４）の反対側に、一対になった接点Ｂ（９）、Ｄ（１１）と電磁石Ｂ（７）を取り付けする。
（ヘ）各接点Ａ（８）、Ｂ（９）、Ｃ（１０）、Ｄ（１１）、Ｅ（１２）と電磁石Ａ（６）とＢ（７）に覆いかぶさる形状で軽量のプレート（１６）を、中央の支点（１５）を軸にしてシーソー式に可動できる状態で台座（１４）に取り付け、そのプレートの電磁石Ａ（６）とＢ（７）の相対的位置に、それぞれの磁極の向きを同一にした永久磁石Ａ（１７）とＢ（１８）を取り付けする。
（ト）プレート（１６）の各接点Ａ（８）、Ｂ（９）、Ｃ（１０）、Ｄ（１１）、Ｅ（１２）の相対的位置に、プレート（１６）との間にコイル状のバネ（２０）を挟み込み、天秤状にした通電板（１９）を、プレート（１６）のそれぞれの側が下がった状態のとき、それぞれの側の各接点Ａ（８）、Ｃ（１０）、Ｅ（１２）又は、Ｂ（９）、Ｄ（１１）の各一対の接触面に接触する事ができる様に取り付けする。最後に、そのプレート（１６）の支点（１５）を軸に左右の重さのバランスを調整してスムーズにシーソー式可動ができる様にする。
本発明は以上のような構成で、これを使用するときは、必要な多箇所に瞬間通電式壁スイッチ（１）を並列に取り付け、電灯（１３）の近くに整流器（２）、継電器（３）とシーソー式電磁石開閉器部分（５）を取り付けして、回路図に従い各線を接続する。
シーソー式電磁石開閉器部分（５）のプレート（１６）は、通常は支点（１５）を軸にして片側が下がり、永久磁石Ａ（１７）又はＢ（１８）の磁力により電磁石Ａ（６）又はＢ（７）の鉄芯部分にくっ付き、くっ付いた側の各通電板（１９）も接点Ａ（８）、Ｃ（１０）、Ｅ（１２）又は、接点Ｂ（９）、Ｄ（１１）の各一対の接触面に接触するため通電できる状態になる。図２や図３の様にプレート（１６）の左側が下がっている状態では、永久磁石Ａ（１７）の磁力により電磁石Ａ（６）の鉄芯部分にくっ付き、二枚の通電板（１９）も接点Ａ（８）とＣ（１０）の各一対の接触面にそれぞれ接触するため通電できる状態になり、同時に、接点Ｅ（１２）の一対の接触面も通電板（１９）に接触して通電状態のため電灯（１３）が点灯する。この状態でどれか一箇所の瞬間通電式壁スイッチ（１）を入れると、プラスの電流が接点Ａ（８）から電磁石Ａ（６）に流れ、永久磁石Ａ（１７）の磁極と同一の磁極を発生させて反発力を発生する。また、マイナスの電流が接点Ｃ（１０）から電磁石Ｂ（７）に流れ、永久磁石Ｂ（１８）の磁極と反対の磁極を発生させて引き合う力を発生する。その結果、プレート（１６）は支点（１５）を軸に反転して右側が下がり永久磁石Ｂ（１８）の磁力により電磁石Ｂ（７）の鉄芯部分にくっ付き、二枚の通電板（１９）も接点Ｂ（９）とＤ（１１）の各一対の接触面にそれぞれ接触するため通電できる状態になる。同時に、接点Ｅ（１２）の一対の接触面から通電板（１９）が離れるため電灯（１３）は消灯する。さらに、この状態でどれか一箇所の瞬間通電式壁スイッチ（１）を入れると、プラスの電流が反対側の電磁石Ｂ（７）に流れ、マイナスの電流が反対側の電磁石Ａ（６）に流れるため、電磁石Ａ（６）とＢ（７）の磁極はそれぞれが先程と反対の磁極を発生させ、プレート（１６）は支点（１５）を軸に反転して左側が下がり接点Ａ（８）とＣ（１０）が通電できる状態になり、また、接点Ｅ（１２）も再び通電するため電灯（１３）が点灯する。
【図面の簡単な説明】
【０００７】
【図１】本発明の回路図
【図２】本発明のシーソー式電磁石開閉器部分の斜視図
【図３】本発明のシーソー式電磁石開閉器部分の側面を切り欠いた断面図
【符号の説明】
【０００８】  １  瞬間通電式壁スイッチ部分
２  整流器
３  継電器
４  継電器により作動する接点
５  シーソー式電磁石開閉器部分
６  電磁石Ａ
７  電磁石Ｂ
８  接点Ａ
９  接点Ｂ
１０  接点Ｃ
１１  接点Ｄ
１２  接点Ｅ
１３  電灯
１４  台座
１５  支点
１６  プレート
１７  永久磁石Ａ
１８  永久磁石Ｂ
１９  通電板
２０  バネ
【図１】
0004756470.tif 000002
【図２】
0004756470.tif 000003
【図３】
0004756470.tif 000004